(57)【要約】【課題】大型の遊技盤を中枠に配置し得ると共に、配線を所定位置に確実に保持し得るパチンコ機を提供する。【解決手段】外枠に開閉可能に組付けられる遊技盤が保持される中枠１２を、上下左右の枠部材２４,２５,２６,２７から構成し、上枠部材２４に球タンク３０およびタンクレール３９を設ける。下枠部材２５の裏側に対応して機構セット盤を配設すると共に、左右の枠部材２６,２７の少なくとも一方に導電性を付与する。そして、上枠部材２４に形成した配線収納凹部４８を、導電性を有する枠部材２６,２７および球タンク３０に貯留したパチンコ球の夫々に接触させた導電性のカバー部材５８により覆蓋するよう構成した。【選択図】図５
2007021090.tif 000002
【特許請求の範囲】
【請求項１】
外郭をなす外枠と、前記外枠に開閉可能に組付けられ、遊技盤が保持される中枠と、前記中枠の前側に開閉可能に組付けられ、遊技盤を透視保護する前枠と、前記中枠の前側に組付けられる球皿と、前記中枠の裏側に位置し、遊技球を貯留する球タンクと、前記球タンクに接続されて貯留した遊技球を一列に整列させて球皿へ向けて排出させるタンクレールと、前記中枠の裏側に配設され、前記タンクレールに連通して遊技球を前記球皿に案内する球通路を備えた機構セット盤とから構成された遊技機であって、
前記中枠は、
前記球タンクおよびタンクレールが設けられて前記遊技盤の上部を支持し、所要位置に配線収納凹部が形成された上枠部材と、
前記遊技盤の下部を支持し、その裏側に前記機構セット盤が対応して配置された下枠部材と、
前記上下の枠部材に接続して遊技盤の左側部に位置する左枠部材と、
前記上下の枠部材に接続して遊技盤の右側部に位置する右枠部材と、
前記上枠部材に配設され、前記配線収納凹部を覆蓋する導電性のカバー部材とからなり、
前記左右の枠部材の少なくとも一方は導電性を有し、この導電性を有する枠部材および前記球タンクに貯留された遊技球の夫々に前記カバー部材が接触するよう構成した
ことを特徴とする遊技機。
【請求項２】
前記配線収納凹部は、前記上枠部材における球タンクの近傍に形成されている請求項１記載の遊技機。
【請求項３】
前記上枠部材には、前記前枠の開放を検知する前枠開放検知手段が設けられると共に、該前枠開放検知手段に接続した配線を前記配線収納凹部に導く配線溝が形成されている請求項１または２記載の遊技機。
【発明の詳細な説明】
【技術分野】
【０００１】
本発明は、外郭をなす外枠に対して開閉可能に組付けた中枠の裏側に、遊技球を貯留する球タンクを備え、該球タンクに貯留した遊技球を、タンクレールおよび機構セット盤の球通路を介して中枠前側の球皿に排出するよう構成された遊技機に関するものである。
【背景技術】
【０００２】
例えば遊技機の代表例の一つであるパチンコ機は、遊技店の設置枠台(通称「島」)に縦向きの姿勢で設置した外枠に、前後に開口させた保持部に遊技盤を着脱自在に配設した中枠が開閉および着脱可能に組付けられる。そして、前記中枠の前側に、遊技盤を透視保護するガラス板を組付けた前枠や、上下の球皿、パチンコ球の打出し操作用の打球発射装置等を組付けると共に、中枠の裏側に配設した機構セット盤に、各種球処理部や制御装置等を設けることで遊技に供される。ここで、機構セット盤は、前記中枠と略整合する大きさに形成されており、その上部位置に、設置枠台に設けた球供給設備からのパチンコ球が供給される球タンクが組付けられている。また、前記機構セット盤には、前記球タンクに貯留したパチンコ球を整列して送出するタンクレールや、このタンクレールからのパチンコ球を下流の球払出装置へ送出する送出樋(球通路)が前記球処理部として設けられて、該球払出装置の作動により、球タンク内のパチンコ球を貸球や賞球として上下の球皿に払出すよう構成されている。
【０００３】
このようなパチンコ機にあっては、その製造・組立の簡略化や製造コストの低減を図る技術が多数提案されている。例えば、特許文献１には、前記球タンクとタンクレールとを一体成形することで、パチンコ機の簡素化および軽量化を図る技術が開示されている。すなわち、前記球タンクとタンクレールとを一体成形することで、部品点数の削減を図り、パチンコ機の製造・組立の簡略化を図っている。また、特許文献２には、機構セット盤に形成した配線収納溝に各種電気部品の配線を収納すると共に、該配線収納溝の開口領域を配線押え部材で閉成することで、機構セット盤の所定位置を配線が通るようにした技術が開示されている。このように、機構セット盤の所定位置を配線が通ることで、各種部材の組付け作業やメンテナンス作業等を容易に行ない得るようにしている。
【特許文献１】特公平１−１５３１４号公報
【特許文献２】特開平７−２３６７５２号公報
【発明の開示】
【発明が解決しようとする課題】
【０００４】
ところで、近年は前記遊技盤を大型化すると共に、該遊技盤に大型の遊技部品(例えば図柄表示装置や役物等)を配設することにより、遊技演出の多様化やインパクト、迫力の向上を図り、遊技の面白みを増大させ得るパチンコ機を求める傾向が強くなっている。ここで、遊技盤の大型化を図るに際しては、前記中枠における保持部の占める領域(すなわち中枠の開口領域)を増大させる必要がある。この場合に、パチンコ機における上下の球皿との関係上、遊技盤を設置するための開口位置を下方に拡げるには限界があり、遊技盤の上下方向の寸法を大きくした場合は、前記開口領域を中枠の上方位置まで拡げるよう構成することが求められる。
【０００５】
しかし、特許文献１に記載のパチンコ機のように、球タンクやタンクレールを機構セット盤に設ける場合には、機構セット盤を中枠の上方位置まで延在する大きさに設定して該中枠に固定し、該機構セット盤の上方位置に球タンクやタンクレールを固定すると共に、該機構セット盤に球タンク(タンクレール)のパチンコ球を案内する送出樋(球通路)を形成する必要がある。すなわち、中枠の裏側に、球タンク等が配設された機構セット盤を設置する設置領域を確保する必要があるから、前記開口領域を拡げるには限界があり、遊技盤の大型化を図るのは困難である。
【０００６】
また、遊技盤の大型化に合わせて機構セット盤を小型化すると、機構セット盤に各種電気部品の配線を収納する配線収納部を形成するスペースを確保することが困難となる。このため、配線途中に弛みが生じ易く、各種部材の組付け作業やメンテナンス作業に際して他の配線と絡み合ったり、作業時に配線を引っ掛けたりするため、作業性の低下を招来すると共に、中枠や前枠等の閉成時に配線を挟み込むおそれがある。
そこで、本発明は、大型の遊技盤を中枠に配置し得ると共に、配線を所定位置に確実に保持し得るパチンコ機を提供することを目的とする。
【課題を解決するための手段】
【０００７】
前記課題を克服し、所期の目的を達成するために、本願の請求項１に係る遊技機は、
外郭をなす外枠(11)と、前記外枠(11)に開閉可能に組付けられ、遊技盤(19)が保持される中枠(12)と、前記中枠(12)の前側に開閉可能に組付けられ、遊技盤(19)を透視保護する前枠(13)と、前記中枠(12)の前側に組付けられる球皿(14,15)と、前記中枠(12)の裏側に位置し、遊技球を貯留する球タンク(30)と、前記球タンク(30)に接続されて貯留した遊技球を一列に整列させて球皿(14,15)へ向けて排出させるタンクレール(39)と、前記中枠(12)の裏側に配設され、前記タンクレール(39)に連通して遊技球を前記球皿(14,15)に案内する球通路を備えた機構セット盤(17)とから構成された遊技機であって、
前記中枠(12)は、
前記球タンク(30)およびタンクレール(39)が設けられて前記遊技盤(19)の上部を支持し、所要位置に配線収納凹部(48)が形成された上枠部材(24)と、
前記遊技盤(19)の下部を支持し、その裏側に前記機構セット盤(17)が対応して配置された下枠部材(25)と、
前記上下の枠部材(24.25)に接続して遊技盤(19)の左側部に位置する左枠部材(26)と、
前記上下の枠部材(24.25)に接続して遊技盤(19)の右側部に位置する右枠部材(27)と、
前記上枠部材(24)に配設され、前記配線収納凹部(48)を覆蓋する導電性のカバー部材(58)とからなり、
前記左右の枠部材(26,27)の少なくとも一方は導電性を有し、この導電性を有する枠部材(26,27)および前記球タンク(30)に貯留された遊技球の夫々に、前記カバー部材(58)が接触するよう構成したことを要旨とする。
【０００８】
このように、球タンクおよびタンクレールを、中枠の上枠部材に設けると共に、機構セット盤を下枠部材に配置したことで、球タンクやタンクレールを取付ける設置領域、あるいは機構セット盤を取付ける設置領域を中枠の上方位置に確保する必要がない。従って、遊技盤を保持する開口領域を中枠の上方位置まで拡げることができ、大型の遊技盤を配設することが可能となる。また、上枠部材に形成した配線収納凹部をカバー部材で覆蓋するよう構成したことで、配線を所定位置に保持できるから、組付けやメンテナンス作業時の作業性が低下するのを防止すると共に、中枠や前枠等の閉成時の配線の挟み込みを防止し得る。更に、導電性を有するカバー部材を、球タンク内の遊技球と導電性を有する枠部材に接触させることで、球タンク内で発生する静電気を除去することが可能となる。
【０００９】
請求項２に係る遊技機は、前記配線収納凹部(48)は、前記上枠部材(24)における球タンク(30)の近傍に形成されていることを要旨とする。
【００１０】
このように、前記配線収納凹部を前記上枠部材における球タンクの近傍に形成することで、前記カバー部材として小型の部材を用いた場合であっても、配線保持および静電気除去の機能を発揮させ得る。
【００１１】
請求項３に係る遊技機は、前記上枠部材(24)には、前記前枠(13)の開放を検知する前枠開放検知手段(55)が設けられると共に、該前枠開放検知手段(55)に接続した配線を前記配線収納凹部(48)に導く配線溝(47)が形成されていることを要旨とする。
【００１２】
このように、前記上枠部材に配線収納凹部に接続する配線溝を形成し、上枠部材に配設した前枠開放検知手段に接続する配線を配線溝を介して配線収納凹部に導くことで、前枠開放検知手段に接続する配線が前枠の閉成時に挟み込まれるのを防止し得る。
【発明の効果】
【００１３】
本発明に係る遊技機によれば、中枠に大型の遊技盤を配置することができ、遊技演出の多様化等を効果的に図り得ると共に、配線を所定位置に確実に保持することができる。
【発明を実施するための最良の形態】
【００１４】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を正面側(遊技者側)から見た状態で指称するものとする。
【実施例】
【００１５】
実施例に係るパチンコ機１０は、図１または図２に示すように、矩形枠状に形成されて外郭をなす外枠１１の開口前面側に、各種部品１３,１４,１５,１６,１７,１９が設置される縦長方形の中枠１２が開閉および着脱可能に組付けられている。この中枠１２の前面側には、遊技盤１９(図２参照)を透視保護するガラス板を備えた前枠１３が開閉可能に組付けられると共に、該前枠１３の下方にパチンコ球を貯留する下球皿１５が開閉可能に組付けられる。なお、前記前枠１３の下部位置には、パチンコ球を貯留する上球皿１４が一体的に組付けられており、前枠１３の開閉に合わせて上球皿１４も開閉するよう構成されている。また、中枠１２における下球皿１５の右側には、回動操作可能なハンドル部材１６が配設されており、該ハンドル部材１６の回動操作により上球皿１４に貯留したパチンコ球が遊技盤１９の遊技領域１９ａに向けて打出されるようになっている。そして、中枠１２(後述する下枠部材２５)の裏側には、球通路や制御装置(何れも図示せず)等を備えた機構セット盤１７(図３参照)を配設してある。
【００１６】
ここで、図２に示すように、前記外枠１１の左上端部および左下端部には、ヒンジ手段を構成する上支持受具２１および下支持受具２２が配設されており、該上支持受具２１に下方へ突出形成したヒンジ手段としての上支軸２１ａと、下支持受具２２に上方へ突出形成したヒンジ手段としての下支軸２２ａとを介して、前記中枠１２を開閉自在に枢支するようになっている。また、前記外枠１１の右側部には、施錠手段をなす第１係合部(図示せず)が設けられており、後述する施錠装置７７と係脱自在に係合し得るよう構成されている。
【００１７】
前記中枠１２は、図２または図３に示すように、上縁をなす上枠部材２４と、下縁をなし、スピーカや打球発射装置等を設置する設置部として機能する下枠部材２５と、左側縁をなす左枠部材２６と、右側縁をなす右枠部材２７とから構成されて、これら上下左右の枠部材２４,２５,２６,２７を組付けた際に、全体が前記外枠１１の開口領域に整合する大きさに形成される。ここで、実施例では、前記上下の枠部材２４,２５は合成樹脂成形されると共に、左右の枠部材２６,２７は導電性を有するアルミ等の金属材により成形されて、中枠１２全体としての剛性を確保しつつ薄肉化が図られている。ここで、前記上下の枠部材２４,２５における左右の端面には、ネジ孔２４ｄ,２５ｂが複数箇所に形成されると共に(図２または図５参照)、前記左右の枠部材２６,２７における上下の端部側には、ネジ孔２４ｄ,２５ｂに対応する位置に通孔２６ａ,２７ａが穿設されており(図２参照)、これらネジ孔２４ｄ,２５ｂと通孔２６ａ,２７ａとを整列させたもとでネジ孔２４ｄ,２５ｂにネジ８５(図４または図５参照)を螺挿することで、各枠部材２４,２５,２６,２７が枠組み連結されるようになっている。
【００１８】
そして、前記上下左右の枠部材２４,２５,２６,２７を組付けた際に前後に開口する開口領域１２ａに、前記遊技盤１９が設置される。このとき、上下左右の枠部材２４,２５,２６,２７が、遊技盤１９における上下左右の対応する端面に対して所要のクリアランスを介して対向する。但し、下枠部材２５の左右両側の一部に遊技盤１９の下端面が当接して、該遊技盤１９の下方の位置決めがなされるよう構成される。なお、前記上下の枠部材２４,２５における開口領域１２ａに臨む右端部側(後述する第２の保持具７６の配設部位)、および左枠部材２６における開口領域１２ａに臨む後端部側には、図２または図３に示すように、開口領域１２ａに突出して遊技盤１９の裏面に当接する位置規制片２５ａ,２６ｂ(上枠部材２４の位置規制片は図示せず)が形成されており、遊技盤１９が各位置規制片２５ａ,２６ｂに当接することで後方の位置決めをしている。
【００１９】
図２または図３に示すように、前記上枠部材２４の前面における左上端部(一側部)、および前記下枠部材２５の前面における左下端部(一側部)には、ヒンジ手段としての第１の連結金具６５および第２の連結金具６８が夫々配設されている。ここで、前記第１の連結金具６５には、上方に開口する第１軸孔６５ａおよび下方に開口する第２軸孔(図示せず)が夫々形成されると共に、上方に開口する第１軸孔６５ａは回動可能なハンドル部６６により開閉可能に構成されて、該ハンドル部６６が回動することにより、前記外枠１１の上支軸２１ａを第１軸孔６５ａに挿脱し得るようになっている。また、前記第２の連結金具６８は、前方へ向けて突出する突出片６９,７０を上下に離間する位置に備えるコ字状に形成され、該上突出片６９には上方に突出する第１軸部６９ａおよび下方に突出する第２軸部６９ｂが形成されると共に、下突出片７０には上方に開口する第３軸孔７０ａおよび下方に開口する第４軸孔(図示せず)が穿設してある。
【００２０】
すなわち、前記第１の連結金具６５に形成した第１軸孔６５ａ、および第２の連結金具６８における下突出片７０に形成した第４軸孔に、前記外枠１１の上下の支持受具２１,２２に形成した上下の支軸２１ａ,２２ａを対応的に挿通することで、中枠１２が外枠１１に対して開閉自在に枢支される。また、前記第２の連結金具６８における上突出片６９に形成した第１軸部６９ａを、前枠１３の左下端部に形成した軸孔(図示せず)に挿入すると共に、前記第１の連結金具６５に形成した第２軸孔に前枠１３の左上端部に形成した軸部(図示せず)を挿入することで、当該前枠１３が中枠１２に対して開閉自在に枢支される。更に、前記第２の連結金具６８における上突出片６９に形成した第２軸部６９ｂおよび下突出片７０に形成した第３軸孔７０ａを介して、前記下球皿１５が開閉自在に枢支されている。また、前記右枠部材２７には、前記外枠１１側に設けた第１係合部および前枠１３に設けた第２係合部(図示せず)に対して係脱自在に係合可能な施錠装置(施錠手段)７７が設けられており、該施錠装置７７の施錠操作により第１係合部と係合することで外枠１１に対して中枠１２を閉成状態で保持し得ると共に、第２係合部と係合することで前枠１３を中枠１２に対して閉成状態で保持し得るよう構成されている。
【００２１】
また、前記上枠部材２４の左端部から下方に延出する延出部２４ａ、および前記左枠部材２６における開口領域１２ａに臨む下枠部材２５の近傍には、第１の保持具(固定手段)７２が配設されると共に、上下の枠部材２４,２５における右端部近傍には、回転レバー式の第２の保持具(固定手段)７６が配設されている(図２または図３参照)。そして、第１の保持具７２および第２の保持具７６により遊技盤１９の前方および左右への移動を規制することにより、該遊技盤１９を中枠１２(開口領域１２ａ)に保持するよう構成される。
【００２２】
ここで、前記第１の保持具７２は、前記上枠部材２４または左枠部材２６に固定される枢支部材７３と、この枢支部材７３に回動自在に支持されて遊技盤１９の前方移動を規制し得る略Ｌ字状の規制部材７４とから構成される(図３参照)。また、前記規制部材７４は、前記遊技盤１９の前面に当接する第１支持面７４ａ、および遊技盤１９の左側端面に当接する第２支持面７４ｂからなり、前記枢支部材７３に上下方向に延在するよう設けた枢軸７５に、該第１および第２支持面７４ａ,７４ｂの屈曲部位近傍を枢支している。更に、前記規制部材７４は、バネ等の付勢手段(図示せず)により前記第１支持面７４ａが前方に傾斜する状態に保持され、前記遊技盤１９の左側端面を第２支持面７４ｂに当接したもとで遊技盤１９の右側部を後方に移動させることで、前記開口領域１２ａに遊技盤１９が整合するようになっている。
【００２３】
一方、前記第２の保持具７６は、作業者の手指により摘み回動操作し得るレバー部７６ａが前記上下の枠部材２４,２５の前面側に臨むよう設けられており、解除位置に回動変位した状態では該レバー部７６ａと共に回転する係合部(図示せず)が開口領域１２ａから退避し、該解除位置から１８０°だけ回動変位した規制位置では、係合部が開口領域１２ａに臨むよう構成されている。なお、図３には第２の保持具７６を解除位置に保持した状態を示してある。すなわち、前記レバー部７６ａを解除位置に回動変位することで、前記開口領域１２ａに対する遊技盤１９の着脱が許容され、該開口領域１２ａに遊技盤１９を設置した状態でレバー部７６ａを規制位置に回動変位することで、前記係合部が遊技盤１９の前面に当接して位置規制するようになっている。すなわち、実施例に係るパチンコ機１０では、前記第２の保持具７６のレバー部７６ａを回動変位することで、前記遊技盤１９を中枠１２に対して着脱し得るよう構成されている。
【００２４】
また、前記上枠部材２４は、図４,図５または図７に示すように、図示しない遊技店の設置枠台に設けた球供給設備から供給されるパチンコ球を貯留し得る球タンク３０、および球タンク３０に貯留したパチンコ球を一列に整列した状態で流下案内するタンクレール３９を一体成形して構成される。ここで、前記球タンク３０およびタンクレール３９は、図８に示すように、前記開口領域１２ａより後方に位置すると共に、その一部が開口領域１２ａに臨むようになっている。すなわち、前記上枠部材２４の上下方向の厚みは中枠１２の剛性を維持し得る最小限の寸法に設定され、開口領域１２ａに設置した遊技盤１９と、球タンク３０およびタンクレール３９とが前後に重なり合うよう構成される。また、前記開口領域１２ａに遊技盤１９を設置した際に、該遊技盤１９の裏面側上端部に球タンク３０が当接して遊技盤１９の後方移動を規制するようになっている。すなわち、球タンク３０が遊技盤１９の上端部にのみ当接することで、該遊技盤１９に配設される図柄表示装置や役物等の遊技部品(図示せず)に対して干渉するのを防止している。
【００２５】
次に、球タンク３０とタンクレール３９との関係につき説明する。図４または図５に示すように、前記球タンク３０は、右枠部材２７側から左枠部材２６側に向けて下方傾斜するタンク底面３１と、該タンク底面３１の外周縁に沿って上方へ立ち上がる前後左右の壁部３２,３３,３４,３５とから上方開口する略矩形箱状に形成され、当該タンク底面３１および各壁部３２,３３,３４,３５により画成される貯留空間３６にパチンコ球を貯留するようになっている。そして、前記球タンク３０(タンク底面３１)の傾斜下端側に前記タンクレール３９が設けられ、該球タンク３０における左枠部材２６側(タンクレール３９側)の左壁部３４に形成した連通口３０ａを介してタンクレール３９が貯留空間３６に連通するよう構成されている。また、前記球タンク３０における左壁部３４には、貯留空間３６に臨む面に、パチンコ球を前記連通口３０ａへ誘導する球誘導手段としての球誘導面３４ａを形成してある。ここで、前記球誘導面３４ａは、凹面状に形成されて(図４参照)、球タンク３０のタンク底面３１に沿って球誘導面３４ａに流下したパチンコ球の球圧を吸収しつつ連通口３０ａへ速やかに誘導し得るようになっている。更に、前記タンク底面３１と前壁部３２との連設部位には、上方に開口する係止孔３１ａ,３１ａが左右方向に離間する２箇所に穿設されている。
【００２６】
一方、前記タンクレール３９は、図４または図７に示すように、前記球タンク３０の連通口３０ａに連接し、該球タンク３０の長手方向に沿う方向に延在する第１球経路部４０と、該第１球経路部４０の終端に反対方向へ折返すよう連接する第２球経路部４１とから基本的に構成される。ここで、前記第１および第２球経路部４０,４１の夫々は、その通路幅をパチンコ球の球径と略同一に設定され、前記連通口３０ａから到来したパチンコ球が一列状態で流下し得るようになっている。なお、前記第１球経路部４０におけるレール底面４０ａは、球タンク３０におけるタンク底面３１の傾斜角度と略同等で傾斜するように設定されて、左枠部材２６に向かうにつれて下方傾斜するよう形成される。ここで、前記第１球経路部４０のレール底面４０ａは、前記球タンク３０のタンク底面３１より下方に位置するよう形成されて、両底面３１,４０ａの間に段差が生ずるよう設定してある。なお、実施例では、前記段差の高さ寸法は、パチンコ球の球径と略同等に設定されると共に、該段差部位に、断面円弧状の誘導面が形成されて、球タンク３０から第１球経路部４０にパチンコ球が流下する際に、上下に重なり合うパチンコ球を崩して整列し易くしている。
【００２７】
また、前記第２球経路部４１は、前記第１球経路部４０の前側に形成されて、球タンク３０の近傍まで延在すると共に、該第２球経路部４１のレール底面４１ａにおける下流端部に、下方に開口する球出口４１ｂが開設されている。なお、前記第２球経路部４１の上方開口は、球進入防止部材４２(図４または図５参照)で閉成されて、前記球供給設備からのパチンコ球が第２球経路部４１に直接落下することにより球詰まり等の不具合が生ずるのを防止している。この球進入防止部材４２は、第１球経路部４０から第２球経路部４１に流入する上下に重なっているパチンコ球を、球出口４１bに至るまでに一段となるよう整列して、該球出口４１bからパチンコ球を円滑に通出させる機能も有する。また、前記第２球経路部４１のレール底面４１ａは、第１球経路部４０におけるレール底面４０ａ(球タンク３０におけるタンク底面３１)の傾斜角度と略同等の傾斜角度で、右枠部材２７に向かうにつれて下方傾斜するようになっている。
【００２８】
また、図４,図５または図７に示すように、前記タンクレール３９の前側には、後述する配線収納凹部４８を画成する画壁部５０が立設されると共に、該タンクレール３９と画壁部５０との間に基板保持手段５１が形成されており、該基板保持手段５１にコネクタ受部５４ａ,５４ａを２個備えた中継基板５４が保持されている。前記基板保持手段５１は、中継基板５４を上方から差込み可能な左右一対の案内部５１ａ,５１ａと、弾性変形可能に形成されて案内部５１ａ,５１ａに差込んだ中継基板５４に係脱自在に係合し得る基板止めフック５１ｂとから構成され、該基板止めフック５１ｂの弾性変形により中継基板５４を着脱し得るようになっている。また、前記タンクレール３９の左側を画成する側壁部４３には、半円筒状の配線挿通部４４が形成されており、前記機構セット盤１７に配設した制御装置に接続した配線(図示せず)を該配線挿通部４４に通したもとで、前記中継基板５４の一方のコネクタ受部５４ａに接続される。なお、前記配線挿通部４４を通した配線は、該配線挿通部４４の開口側に設けた配線押え４４ａ,４４ａにより脱落防止されている。また、前記画壁部５０には、前記基板保持手段５１の近傍に、後述する前枠開放検知手段５５からの配線を挿通可能な切欠部５０ａが形成されている。
【００２９】
図４,図５または図８に示すように、前記上枠部材２４の前端部には、中枠１２の閉成時に外枠１１の前端面に当接するフランジ部２４ｂが上方へ延出するよう形成されて、中枠１２と外枠１１との間からの異物挿入による不正行為を阻止すると共に、該上枠部材２４の剛性を向上するようになっている。更に、フランジ部２４ｂにおける前記第１の連結金具６５から離間する位置(すなわちフランジ部２４ｂの右側部近傍)には、前後に開口する取付孔２４ｃが開設されており、該取付孔２４ｃに配設した前枠開放検知手段５５を前記制御装置に電気的に接続することで、前枠１３の開放を検知し得るよう構成される。なお、実施例では、前記前枠開放検知手段５５としてマイクロスイッチが採用されて、該スイッチがＯＮされることで前枠１３の閉成を検知し、該スイッチがＯＦＦされることで前枠１３の開放を検知する。なお、前枠開放検知手段５５が前枠１３の開放を検知した場合には、前記制御手段は図示しない報知ランプを点灯させたり、スピーカから報知音を出力させたりして、遊技店の従業者等に報知するようになっている。
【００３０】
また、上枠部材２４の上面には、図４または図５に示すように、後述するカバー部材５８の被覆片６０が整合する設置凹部４６が形成されると共に、該設置凹部４６の前側に、左右方向に離間する３箇所に第１の係止片４６ａが形成されている。なお、前記第１の係止片４６ａは、前記設置凹部４６の上方に臨むよう形成されて、設置凹部４６と第１の係止片４６ａとの間にカバー部材５８の被覆片６０を差込み得るよう構成される。
【００３１】
そして、図５,図７または図８に示すように、上枠部材２４の上面における球タンク３０およびタンクレール３９の前側(近傍)には、上枠部材２４の左右方向の略全幅に亘って延在する配線収納凹部４８が上方に開口するよう形成されている。すなわち、前記球タンク３０の前壁部３２と、タンクレール３９の前側に形成した前記画壁部５０とが、前記配線収納凹部４８の後壁を画成している。ここで、前記配線収納凹部４８は、図５または図７に示すように、前記タンクレール３９の形成位置と対応する位置において、前後の開口幅寸法が拡開するよう前記画壁部５０が後方へ退避すると共に、遊技盤１９の左上端部裏側に開口する第１の開口部４８ａが開設されている。また、前記上枠部材２４の上面には、前記フランジ部２４ｂの取付孔２４ｃから配線収納凹部４８へ向けて前後方向に延在する配線溝４７が凹設されており、前枠開放検知手段５５に接続した配線を、配線溝４７を介して配線収納凹部４８に案内するようになっている。なお、前記配線収納凹部４８に案内された前枠開放検知手段５５の配線は、前記画壁部５０の切欠部５０ａを介して配線収納凹部４８の外側に挿通されて、前記中継基板５４の他方のコネクタ受部５４ａに接続される。また、前記球タンク３０の前壁部３２の上端部には、左右方向に離間する箇所に上方に突出する突起部３２ａ,３２ａが突設されている。
【００３２】
図５または図７に示すように、前記上枠部材２４における前記配線収納凹部４８の右側部には、上方および後方に開放するよう形成した導入部５２が形成されており、該導入部５２に配線収納凹部４８が連通するようになっている。ここで、前記導入部５２には、遊技盤１９の右上端部裏側に開口する第２の開口部５２ａ(図７参照)が開設されると共に、該導入部５２の下方位置(上枠部材２４における球タンク３０の右側)には、配線を保持する弾性変形可能な配線留めフック５３が形成されており、第２の開口部５２ａを挿通させた配線や、配線留めフック５３に係止保持した配線を、導入部５２を介して配線収納凹部４８に通し得るようになっている。
【００３３】
前記カバー部材５８は、図４〜図６に示すように、導電性を有する金属板を折り曲げ形成され、前記上枠部材２４の上面に臨む第１板部５９と、前記球タンク３０内に臨む第２板部６３とを備えている。ここで、前記第１板部５９は、前記設置凹部４６と配線収納凹部４８の開口領域とに略整合する大きさに形成された被覆片６０と、第１板部５９を上枠部材２４に固定する固定片６１,６１とを有し、固定片６１,６１を介して上枠部材２４に固定した際に、被覆片６０が設置凹部４６に当接して配線収納凹部４８の開口領域を覆蓋するようになっている。すなわち、前記被覆片６０で配線収納凹部４８の開口領域を覆蓋することで、該配線収納凹部４８内に通した配線が外れないよう構成してある。このとき、前記被覆片６０は、前記設置凹部４６と各第１の係止片４６ａとの間に差込まれて、該被覆片６０の上面側に各第１の係止片４６ａが当接することで、当該被覆片６０の上方移動を規制している。また、前記第１板部５９(被覆片６０)における前記第２板部６３との折曲位置には、位置決め孔６０ａが左右方向に離間する２箇所に穿設されており、被覆片６０で配線収納凹部４８の開口領域を覆蓋した際に、前記球タンク３０の前壁部３２に突設した突起部３２ａ,３２ａが位置決め孔６０ａ,６０ａに対応的に挿入されるようになっている。
【００３４】
前記固定片６１,６１は、被覆片６０の左右端部から上枠部材２４の左端部または右端部まで延在すると共に、該上枠部材２４の左右端部から垂下させた取付片６１ａ,６１ａが左右の枠部材２６,２７に当接するよう形成されている。また、前記取付片６１ａ,６１ａには、通孔６１ｂ,６１ｂを穿設してある。ここで、前記各取付片６１ａの通孔６１ｂは、前記左右の枠部材２６,２７に穿設した通孔２６ａ,２７ａと整列するようになっており、該取付孔６１ａの通孔６１ｂと、対応する各枠部材２６,２７の通孔２６ａ,２７ａとを整列させたもとで、前記上枠部材２４のネジ孔２４ｄにネジ８５を螺挿することで、カバー部材５８が上枠部材２４に固定される。すなわち、カバー部材５８の取付時に、前記取付片６１ａ,６１ａが左右の枠部材２６,２７に当接することで、カバー部材５８と左右の枠部材２６,２７とが導通するようになっている。図５に示すように、前記一方の固定片６１には、前記上枠部材２４の上面に形成されたネジ孔２４ｅに対応する位置に通孔６１ｃが穿設されており、該通孔６１ｃを介して上枠部材２４の上面にネジ止めすることで、カバー部材５８を確実に固定している。なお、前記通孔６１ｃを両固定片６１,６１に夫々設けて、カバー部材５８を左右両側でネジ止めするようにしてもよい。
【００３５】
前記カバー部材５８の第２板部６３は、図５または図６に示すように、前記球タンク３０の前壁部３２に略整合する大きさに形成されて、カバー部材５８を上枠部材２４に取付けた際に、球タンク３０に貯留したパチンコ球が該第２板部６３に接触するよう構成される。すなわち、球タンクに貯留したパチンコ球同士の衝突により生じた静電気は、前記第２板部６３(カバー部材５８)を介して左右の枠部材２６,２７に逃げるようになっている。なお、両枠部材２６,２７はアースに接続されており、該枠部材２６,２７を通った静電気は、アースに流れるようにしてある。また、前記第２板部６３の下端には、下方へ向けて延出する第２の係止片６３ａ,６３ａが形成されており、カバー部材５８を上枠部材２４に固定した際に、第２の係止片６３ａ,６３ａが球タンク３０の係止孔３１ａ,３１ａに差込まれて係合するようになっている。
【００３６】
なお、前記下枠部材２５に対応する位置の裏側には、前記上下の球皿１４,１５に連通する球通路(図示せず)を備えた機構セット盤１７(図３参照)が配置されており、前記タンクレール３９の球出口と、機構セット盤１７の球通路の球入口(図示せず)とを、通路形成部材８０を介して連通接続するようになっている。ここで、前記機構セット盤１７は、前記下枠部材２５の裏側に概ね隠れる大きさに形成されて、該機構セット盤１７が下枠部材２５より上方に大きく突出しないよう設定してある。これにより、遊技盤１９に配設した遊技部品等が機構セット盤１７に接触するのを防止している。なお、前記通路形成部材８０には、パチンコ球の払出しを行なう球払出装置８２(図３参照)が配設されており、所定の制御条件に基づいて球払出装置８２が作動することで、前記タンクレール３９の球出口４１ｂから通路形成部材８０に到来したパチンコ球を通出させて、賞球または貸球として上下の球皿１４,１５に給出するよう構成してある。なお、前記通路形成部材８０は、左枠部材２６の近傍を上下に延在するよう配置されると共に、中枠１２の開口領域１２ａに保持した遊技盤１９の裏面から所要距離だけ後方に離間するよう取付けられて、遊技盤１９に設けた遊技部品に干渉しないようになっている。
【００３７】
〔実施例の作用〕
次に、実施例に係るパチンコ機の作用につき説明する。
【００３８】
実施例に係るパチンコ機１０では、中枠１２を上枠部材２４、下枠部材２５、左枠部材２６および右枠部材２７から構成して各枠部材２４,２５,２６,２７を別部材とすると共に、該上枠部材２４に、球タンク３０およびタンクレール３９の夫々を一体成形するよう構成してある。すなわち、前記球タンク３０やタンクレール３９を別途取付ける必要がないから、組付け作業の簡略化を図り得る。また、従来のように、球タンク３０およびタンクレール３９を取付けるために、中枠１２の上方位置まで機構セット盤１７を延在させる必要がない。すなわち、中枠１２の上方位置に機構セット盤１７を設置固定する設置領域を確保する必要がないから、遊技盤設置用の開口領域１２ａを中枠１２の上方に拡げることが可能となる。従って、上下方向の寸法の大きな遊技盤１９を中枠１２に組付けることが可能となる。すなわち、遊技盤１９に大型の遊技部品を配設することで、遊技演出の多様化やインパクト、迫力の向上が図られ、遊技の興趣を増大することができる。
【００３９】
ところで、前記球タンク３０に貯留したパチンコ球は、パチンコ機１０の前側における遊技盤１９の下方に配置した上下の球皿１４,１５に給出する必要がある。この場合に、従来と同様、機構セット盤１７を中枠１２の上方位置まで延在させて、該機構セット盤１７の球通路をタンクレール３９に連通接続するよう構成する場合には、該機構セット盤１７の設置領域を確保する必要があるため、中枠１２に占める遊技盤設置用の開口領域１２ａの大きさが制限される。これに対し、実施例では、前記タンクレール３９の球出口４１ｂと、機構セット盤１７に設けた球通路の球入口とを、別途設けた通路形成部材８０により連通接続したことで、タンクレール３９(球タンク３０)のパチンコ球を上下の球皿１４,１５に確実に給出し得る。このように、通路形成部材８０を設けたことで、機構セット盤１７をタンクレール３９の近傍まで延在させることなくタンクレール３９(球タンク３０)のパチンコ球を上下の球皿１４,１５に給出し得るから、機構セット盤１７を下枠部材２５の裏側に対応する大きさに形成することができる。
【００４０】
すなわち、タンクレール３９の近傍まで延在する球通路を設けた機構セット盤１７の設置領域を、中枠１２の側部位置に確保する必要がないから、遊技盤設置用の開口領域１２ａを左右方向に拡げることができ、左右方向の寸法の大きな遊技盤１９を中枠１２に組付けることが可能となる。このため、前記遊技盤１９に大型の遊技部品を配設して、遊技演出の多様化やインパクト、迫力の向上が図られ、遊技の興趣を増大することができる。なお、前記通路形成部材８０を、中枠１２の開口領域１２ａに配設した遊技盤１９の裏面より後方に離間するよう配設したことで、遊技盤１９の遊技部品が通路形成部材８０に干渉するのを防止でき、当該遊技部品の大型化を阻害することはない。
【００４１】
また、前記球タンク３０のタンク底面３１を、右枠部材２７から左枠部材２６に向けて下方傾斜するよう形成すると共に、該球タンク３０の下流端側に、その傾斜に沿う方向に延在するようタンクレール３９を連接したことで、パチンコ球をスムーズに流下させ得る状態を維持したまま、球タンク３０およびタンクレール３９の上下方向の大きさをコンパクトにできる。従って、遊技盤１９の遊技部品が球タンク３０やタンクレール３９に接触し難くなるから、遊技盤１９に対してより大型の遊技部品を配設することが可能となる。これにより、遊技演出の多様化やインパクト、迫力の向上を図り、遊技の興趣の増大が可能となる。
【００４２】
ここで、従来のように、中枠１２(上枠部材２４)の後方に球タンク３０が臨むと共に、該球タンク３０の下方にタンクレール３９が臨んで、両部材３０,３９が中枠１２(上枠部材２４)に隠れる構成では、中枠１２の開口領域１２ａを上方に拡げた場合に、球タンク３０を十分な深さ寸法に形成するのは困難となる。このため、球タンク３０に十分なパチンコ球を貯留できず、大当り等のように多数のパチンコ球が排出される場合に球切れ等の不具合が生ずる可能性が高くなる。しかるに、実施例のパチンコ機１０では、前記球タンク３０およびタンクレール３９の一部が前記中枠１２の開口領域１２ａの後方に臨み、中枠１２の開口領域１２ａに遊技盤１９を設置した際に、前記球タンク３０およびタンクレール３９が遊技盤１９と前後に重なるよう構成されている。このため、球タンク３０の深さ寸法を大きくして貯留空間３６の容積を大きくできるから、該球タンク３０に多数のパチンコ球を貯留し得る。
【００４３】
また、前記上枠部材２４に配線を通し得る配線収納凹部４８を形成すると共に、該配線収納凹部４８をカバー部材５８で覆蓋するよう構成している。従って、機構セット盤１７を下枠部材２５に対応するよう小型化した場合でも、中枠１２の上方に設けられる配線を前記配線収納凹部４８に通すことで所定位置に保持し得るから、組付けやメンテナンス作業時に、当該配線が作業を阻害するのを防止して作業性の向上を図り得る。具体的には、実施例では、上枠部材２４に配設した前枠開放検知手段５５の配線を前記配線収納凹部４８に通してカバー部材５８で覆蓋したことで、前枠開放検知手段５５の配線が各種部材の組付けやメンテナンス作業を阻害することはない。また、配線収納凹部４８を覆蓋することで、中枠１２や前枠１３の開閉時に配線が挟み込まれるのを確実に防止し得る利点もある。
【００４４】
前記上枠部材２４に基板保持手段５１を形成して中継基板５４を保持すると共に、該中継基板５４のコネクタ受部５４ａ,５４ａに前記前枠開放検知手段５５の配線と、制御装置の配線とを接続することで、該開放検知手段５５を制御装置に電気的に接続することができる。すなわち、開放検知手段５５と制御装置とを１本の長い配線で直接接続する構成では、配線の取り回しが不便になる欠点があるが、上枠部材２４に基板保持手段５１を形成して中継基板５４を保持するようにしたことで、個々の配線の扱いを容易にでき、配線の接続作業の作業性向上に寄与し得る。また、前記上枠部材２４に配線収納凹部４８に接続する配線溝４７を形成して、該配線溝４７を介して前枠開放検知手段５５の配線を配線収納凹部４８に導くよう構成したから、該前枠開放検知手段５５の配線を所定位置に保持し得ると共に、前枠１３の閉成時に挟み込まれることはない。なお、実施例では配線収納凹部４８に前枠開放検知手段５５の配線を通す構成を例示したのみであるが、前記上枠部材２４に、配線収納凹部４８に連通する第１または第２の開口部４８ａ,５２ａや配線留めフック５３等を形成したことで、前枠開放検知手段５５の配線とは異なる配線を配線収納凹部４８に通すこともできる。従って、パチンコ機１０に装備する電気部品の位置に応じて各種配線を配線収納凹部４８に通し得るから、上枠部材２４(配線収納凹部４８)の汎用性の向上が図られる。
【００４５】
更に、前記カバー部材５８は、導電性を有する金属板で形成されて、該カバー部材５８の第１板部５９(固定片６１,６１)を左右の枠部材２６,２７に当接固定すると共に、当該カバー部材５８の第２板部６３を球タンク３０内に臨ませてパチンコ球と接触するよう構成してある。これにより、球タンク３０内に貯留したパチンコ球同士の衝突により発生する静電気を、カバー部材５８および左右の枠部材２６,２７を介して除去することができるから、当該静電気による制御装置等の誤作動等の不具合を防止することができる。このように、前記配線収納凹部４８を覆蓋する機能と、球タンク３０内で発生する静電気の除去機能とを前記カバー部材５８が併せ持つようにしたことで、各機能に対応する部材を別々に設ける構成と較べて部品点数を低減して組付け作業の簡略化を図り得ると共に、製造コストの削減に寄与し得る利点がある。
【００４６】
また、前記上枠部材２４に形成した各第１の係止片２４ａと設置凹部４６との間にカバー部材５８の第１板部５９(被覆面６０)が差込まれることで、該第１板部５９(被覆面６０)が上方へ移動するのは規制される。従って、前記配線収納凹部４８を通した配線が、第１板部５９と設置凹部４６との間から抜け出ることはないから、該配線を確実に保護することができる。更に、前記カバー部材５８の第２板部６３に形成した第２の係止片６３ａ,６３ａを、前記球タンク３０のタンク底面３１に形成した係止孔３１ａ,３１ａに挿入するよう構成したから、該第２板部６３が球タンク３０の前壁部３２から離間する方向に移動するのを規制し得る。従って、前記球タンク３０内に貯留したパチンコ球と、カバー部材５８の第２板部６３との接触状態を維持し得るから、静電気除去を効果的に行ない得る利点もある。そして、実施例では、前記配線収納凹部４８の前側を、前記球タンク３０の前壁部３２、およびタンクレール３９の前側に設けた画壁部５０により画成し、該球タンク３０およびタンクレール３９の近傍に配線収納凹部４８が位置するよう構成してあるから、前記カバー部材５８の第１板部５９(被覆面６０)を必要最小限の大きさに形成することができる。
【００４７】
なお、中枠１２の各枠部材２４,２５,２６,２７を分離可能な別部材としたことで、球タンク３０およびタンクレール３９を一体成形する際の成形性が向上し、製造コストの低減を図り得る。また、各枠部材２４,２５,２６,２７を別部材とすることで、損傷した枠部材２４,２５,２６,２７のみを交換することができ、コストの削減や廃棄物の低減に寄与し得る利点がある。
【００４８】
更に、前記上枠部材２４に、前記遊技盤１９の上部を位置決め固定する第１および第２の保持具７２,７６を設けたことで、これら保持具７２,７６を配設するための部材を新たに設ける必要がない。同様に、前記上枠部材２４の左端部側に、前記外枠１１に対して中枠１２を開閉自在に枢支すると共に該中枠１２に対して前枠１３を開閉可能に枢支する第１の連結金具６５を設けたことで、該第１の連結金具６５を配設するための部材を新たに設ける必要もない。すなわち、前記保持具７２,７６や第１の連結金具６５を設ける部材を減らすことで、製造コストの抑制に寄与し得る利点がある。
【００４９】
〔変更例〕
なお、遊技機の構成としては、実施例のものに限らず、種々の変更が可能である。例えば、実施例では、配線収納凹部を上枠部材の左右方向の略全幅に亘って延在するよう形成したが、これに限られるものではなく、上枠部材の左右方向の一部に配線収納凹部を延在させたり、前後方向あるいは斜めに延在させることも可能であり、配線収納凹部の形成位置や延在方向に関しては、必要に応じて任意に変更することができる。そして、配線収納凹部の形成位置や延在方向に合わせて、該配線収納凹部を覆蓋し得るようカバー部材を形成するようにすればよい。なお、配線収納凹部を通す配線としては、前枠開放検知手段に接続した配線に限られるものではなく、中枠の上方位置に設けられる各種配線を配線収納凹部に通すことができる。
【００５０】
実施例では、上枠部材に形成した配線溝の開口領域をカバー部材で覆蓋しないよう構成したが、該配線溝をカバー部材で覆蓋するよう構成すれば、前枠開放検知手段に接続した配線をより確実に保護することができる。
【００５１】
実施例では、球タンクおよびタンクレールの夫々を上枠部材と一体成形するよう構成したが、球タンクおよびタンクレールの何れか一方または両方を上枠部材と別体に形成して、上枠部材に組付けるよう構成することも可能である。また、球タンクやタンクレールの構成に関しても実施例のものに限られず、任意に変更することができる。
【００５２】
実施例では、前記カバー部材を金属板で形成するようにしたが、これに限られるものではない。例えば、カバー部材を合成樹脂材で形成して導電性を有する部材(導電性テープや金属板等)を別途設けるようにしてもよく、また導電材(カーボンブラック等)を混合した合成樹脂材によりカバー部材を形成するようにしても、実施例と同様の作用効果を奏する。また、カバー部材は、少なくとも球タンク内に臨む部位(実施例における第２板部６３)、および導電性を有する枠部材に当接する部位(実施例における取付片６１ａ)に導電性を備え、両部位が電気的に接続する構成であれば、その他の部位(実施例における被覆面６０等)が導電性を備える必要性はない。
【００５３】
実施例では、左右の枠部材を金属材で形成するようにしたが、これに限られるものではなく、前述したカバー部材と同様に、例えば枠部材を合成樹脂材で形成して導電性を有する部材(導電性テープや金属板等)を別途設けたり、導電材(カーボンブラック等)を混合した合成樹脂材により枠部材を形成するようにしても、実施例と同様の作用効果を奏する。また、実施例のように左右の枠部材が導電性を備える必要はなく、少なくとも一方の枠部材が導電性を有し、導電性を有する枠部材に前記カバー部材が接触する構成であればよい。
【００５４】
実施例では、中枠を構成する上下左右の各枠部材を個別の部材として形成したが、これに限られるものではなく、少なくとも上枠部材を分離可能に設けるようにすれば、他の枠部材を一体的に設けるようにしても、実施例と同様の作用効果を得ることができる。
【００５５】
また、球タンクおよびタンクレールの形状・構成に関しては、実施例のものに限られず、任意に変更することができる。従って、実施例では球タンクの底面を右枠部材側から左枠部材側へ向けて下方傾斜させ、該球タンクの下流側にタンクレールを並設するよう構成したが、反対方向に傾斜するようにしてもよい。また、球タンクは、遊技球を貯留可能な形状・大きさに形成すればよく、タンクレールに関しては球タンクからの遊技球を一列状態で流下させ得るよう形成すれば、従来公知のタンクレールの構成を採用できる。
【００５６】
実施例では、前枠開放検知手段としてマイクロスイッチを採用したが、これに限られるものではなく、前枠の開放を検知し得るものであれば、磁気的な検知手段や、光学的な検知手段、その他従来公知の各種検知手段を適宜採用することができる。
【００５７】
実施例では、固定手段として上枠部材の左側に回転ヒンジ式の第１の保持具を配設し、右側に回転レバー式の第２の保持具を配設したが、左側の回転ヒンジ式を回転レバー式にしてもよい。
【００５８】
実施例では、上枠部材の左側部に、外枠に対して中枠を開閉自在に枢支すると共に該中枠に対して前枠を開閉可能に枢支するヒンジ手段としての第１の連結金具を配設するようにしたが、上枠部材の右側部に設けるようにしてもよい。また、実施例では、１個の第１の連結金具により、外枠に対して中枠を開閉自在に枢支すると共に該中枠に対して前枠を開閉可能に枢支するよう構成したが、外枠に対して中枠を開閉自在に枢支する部材と、該中枠に対して前枠を開閉可能に枢支する部材とを別に設けることも可能である。
【００５９】
実施例では、遊技機としてパチンコ機を例示して説明したが、これに限られるものではなく、外郭をなす外枠と、外枠に開閉可能に組付けられ、遊技盤が保持される中枠と、中枠の前側に開閉可能に組付けられ、遊技盤を透視保護する前枠と、中枠の前側に組付けられる球皿と、中枠の裏側に位置し、遊技球を貯留する球タンクと、球タンクに接続して貯留した遊技球を一列に整列させて球皿へ向けて排出させるタンクレールと、中枠の裏側に配設され、タンクレールに連通して遊技球を前記球皿に案内する球通路を備えた機構セット盤とを備えた遊技機であれば、アレンジボール機等の従来公知の各種遊技機を採用し得る。
【００６０】
なお、本発明に係る遊技機に関しては、以下に示す具体的構成に限定することが可能である。
(A) 請求項１〜３の何れかに記載の遊技機に関し、前記中枠(12)を構成する枠部材(24,25,26,27)の内、少なくとも上枠部材(24)を分離可能に形成する。
このように、中枠における上枠部材を少なくとも分離可能な別部材とすることで、成形性が向上し、製造コストの低減に寄与し得る。この場合に、上枠部材とその他の枠部材との材質を異ならせることができる。例えば、上枠部材のみを合成樹脂製とすると共に、その他の枠部材をアルミ材等の金属製として薄肉化してもよい。
(B) 請求項１〜３または前記(A)の何れかに記載の遊技機に関し、前記球タンク(43)およびタンクレール(45)は、その一部が前記中枠(12)に保持した遊技盤(19)と前後に重なるように位置している。
このように、球タンクおよびタンクレールの一部を、中枠に保持した遊技盤と前後に重なるように位置させることで、該中枠における遊技盤を保持する開口領域をより上方位置まで拡げることができるから、遊技盤の大型化に寄与し得る。
(C) 請求項１〜３または前記(A),(B)の何れかに記載の遊技機に関し、前記タンクレール(45)の球出口(47b)と、前記機構セット盤(17)における球通路の球入口とを連通接続する通路形成部材(50)を備える。
このように、前記タンクレールの球出口と、前記機構セット盤に設けられる球通路の球入口とを連通接続する通路形成部材を備えることで、該タンクレールの近傍まで機構セット盤を設ける必要がなく、遊技盤の大型化に寄与し得る。また、前記通路形成部材を設けることにより、タンクレールと機構セット盤とを分離して配置した場合であっても、球タンク内の遊技球を球皿に確実に排出することができる。
(D) 請求項１〜３または前記(A)〜(C)の何れかに記載の遊技機に関し、前記球タンク(43)は、タンク底面(43a)が左右何れか一方に向けて下方傾斜し、該タンク底面(43a)の傾斜下端側に、その傾斜に沿う方向に延在するよう前記タンクレール(45)が連接されている。
このように、前記球タンクのタンク底面を、左右何れか一方に傾斜するよう形成し、該タンク底面の傾斜下端側に、その傾斜に沿う方向に延在するようタンクレールを連接したことで、球タンクおよびタンクレールの上下方向の大きさをコンパクトにし得る。従って、遊技盤に配設される遊技部品が球タンクやタンクレールに接触し難くなるから、遊技盤により大型の遊技部品を配設することが可能となる。
(E) 請求項１〜３または前記(A)〜(D)の何れかに記載の遊技機に関し、前記上枠部材(24)に、前記遊技盤(19)の上部を位置決め固定する固定手段(72,76)が設けられる。
このように、前記上枠部材に、前記遊技盤の上部を位置決め固定する固定手段を設けることで、該固定手段を配設するための部材を新たに設ける必要がない。従って、部品点数を削減してコストの低減を図り得る利点がある。
(F) 請求項１〜３または前記(A)〜(E)の何れかに記載の遊技機に関し、前記上枠部材(24)の一側部に、前記外枠(11)に対して中枠(12)を開閉自在に枢支すると共に該中枠(12)に対して前枠(13)を開閉可能に枢支するヒンジ手段(65)が設けられる。
このように、前記上枠部材の一側部に、前記外枠に対して中枠を開閉自在に枢支すると共に該中枠に対して前枠を開閉可能に枢支するヒンジ手段を設けることで、該ヒンジ手段を配設するための部材を新たに設ける必要がない。従って、部品点数を削減してコストの低減を図り得る利点がある。
【図面の簡単な説明】
【００６１】
【図１】実施例に係るパチンコ機を示す正面図である。
【図２】実施例に係るパチンコ機の分解斜視図である。
【図３】実施例に係るパチンコ機の中枠を正面側から視た状態で示す斜視図である。
【図４】実施例に係る中枠の上枠部材を裏側から視た状態で示す斜視図である。
【図５】実施例に係る中枠の上枠部材をカバー部材を取外して裏側から見た状態で示す斜視図である。
【図６】実施例に係るカバー部材を示す斜視図である。
【図７】実施例に係る中枠の上枠部材を概略で示す平面図である。
【図８】図７におけるＡ−Ａ線断面図である。
【符号の説明】
【００６２】
１１ 外枠，１２ 中枠，１３ 前枠，１４ 上球皿(球皿)，１５ 下球皿(球皿)
１７ 機構セット盤，１９ 遊技盤，２４ 上枠部材，２５ 下枠部材
２６ 左枠部材，２７ 右枠部材，３０ 球タンク，３９ タンクレール，４７ 配線溝
４８ 配線収納凹部，５５ 前枠開放検知手段，５８ カバー部材
【図１】
2007021090.tif 000003
【図２】
2007021090.tif 000004
【図３】
2007021090.tif 000005
【図４】
2007021090.tif 000006
【図５】
2007021090.tif 000007
【図６】
2007021090.tif 000008
【図７】
2007021090.tif 000009
【図８】
2007021090.tif 000010